【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ビデオデータのブロックが双方向インター予測モードを使用して符号化されていると決定することと、
前記ブロックについての第１の動きベクトル（ＭＶ）を決定することと、ここにおいて、前記第１のＭＶは、第１の参照ピクチャを指し示す、
前記ブロックについての第２のＭＶを決定することと、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中に第１の予測ブロックをロケートすることと、
前記第２のＭＶを使用して、前記第２の参照ピクチャ中に第２の予測ブロックをロケートすることと、
前記第１の予測ブロックの第１のサブブロックについて、第１の双方向オプティカルフロー（ＢＩＯ）動き量を決定することと、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定することと、
前記第１の予測ブロックの第２のサブブロックについて、第２のＢＩＯ動き量を決定することと、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定することと、
前記第１の最終予測サブブロックおよび前記第２の最終予測サブブロックに基づいて、ビデオデータの前記ブロックについての最終予測ブロックを決定することと、
ビデオデータの前記ブロックの復号されたバージョンを備えるビデオデータのピクチャを出力することと、
を備える、方法。
【請求項２】
前記第１のＢＩＯ動き量を決定することは、前記第１のサブブロック中のサンプルおよび前記第１のサブブロック外のサンプルに基づいて前記第１のＢＩＯ動き量を決定することを備える、請求項１に記載の方法。
【請求項３】
前記第１のＢＩＯ動き量を決定することは、前記第１のサブブロック中のサンプルのみに基づいて前記第１のＢＩＯ動き量を決定することを備える、請求項１に記載の方法。
【請求項４】
前記第２のＢＩＯ動き量を決定することは、前記第２のサブブロック中のサンプルおよび前記第２のサブブロック外のサンプルに基づいて前記第２のＢＩＯ動き量を決定することを備える、請求項１に記載の方法。
【請求項５】
前記第２のＢＩＯ動き量を決定することは、前記第２のサブブロック中のサンプルのみに基づいて前記第２のＢＩＯ動き量を決定することを備える、請求項１に記載の方法。
【請求項６】
前記第１のＢＩＯ動き量は、水平成分および垂直成分を備える動きベクトルフィールドを備える、請求項１に記載の方法。
【請求項７】
前記第１のサブブロックは、前記ブロックについてのコーディングユニット、予測ユニット、および変換ユニットとは異なる、請求項１に記載の方法。
【請求項８】
ビデオデータの前記ブロックについての再構築されたブロックを決定するために、前記最終予測ブロックに残差データを追加すること、
をさらに備える、請求項１に記載の方法。
【請求項９】
前記第１の予測ブロックの前記第１のサブブロック、前記第２の予測ブロックの前記第１のサブブロック、および前記第１のＢＩＯ動き量に基づいて、ビデオデータの前記ブロックについての前記第１の最終予測サブブロックを決定することは、以下の式にしたがって前記第１の最終予測サブブロックを決定することを備え、
ｐｒｅｄBIO＝１／２・（Ｉ(0)＋Ｉ(1)＋ｖx・（τ1∂Ｉ(1)／∂ｘ−τ0∂Ｉ(0)／∂ｘ）＋ｖy・（τ1∂Ｉ(1)／∂ｙ−τ0∂Ｉ(0)／∂ｙ））
ここにおいて、
ｐｒｅｄBIOは、前記第１の最終予測サブブロックのサンプル値を備え、
Ｉ(0)は、前記第１の予測ブロックの前記第１のサブブロックのサンプル値を備え、
Ｉ(1)は、前記第２の予測ブロックの前記第１のサブブロックのサンプル値を備え、
ｖxは、前記第１のＢＩＯ動き量の水平成分を備え、
ｖyは、前記第１のＢＩＯ動き量の垂直成分を備え、
τ0は、前記第１の参照ピクチャまでの距離を備え、
τ1は、前記第２の参照ピクチャまでの距離を備える、請求項１に記載の方法。
【請求項１０】
前記復号の方法は、ビデオ符号化プロセスの復号ループの一部として実行され、およびビデオデータの前記ブロックの前記復号されたバージョンを備えるビデオデータの前記ピクチャを出力することは、参照ピクチャメモリ中にビデオデータの前記ブロックの前記復号されたバージョンを備えるビデオデータの前記ピクチャを記憶することを備え、前記方法は、
前記ビデオデータの別のピクチャを符号化する際に参照ピクチャとしてビデオデータの前記ブロックの前記復号されたバージョンを備えるビデオデータの前記ピクチャを使用すること、
をさらに備える、請求項１に記載の方法。
【請求項１１】
ビデオデータの前記ブロックの前記復号されたバージョンを備えるビデオデータの前記ピクチャを出力することは、ディスプレイデバイスにビデオデータの前記ブロックの前記復号されたバージョンを備えるビデオデータの前記ピクチャを出力することを備える、請求項１に記載の方法。
【請求項１２】
１つまたは複数のプロセッサによって実行されると、前記１つまたは複数のプロセッサに、
請求項１〜１１のうちの何れか一項を行わせる命令を記憶する、コンピュータ可読記憶媒体。
【請求項１３】
ビデオデータを復号するための装置であって、前記装置は、
ビデオデータのブロックが双方向インター予測モードを使用して符号化されていると決定するための手段と、
前記ブロックについての第１の動きベクトル（ＭＶ）を決定するための手段と、ここにおいて、前記第１のＭＶは、第１の参照ピクチャを指し示す、
前記ブロックについての第２のＭＶを決定するための手段と、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中に第１の予測ブロックをロケートするための手段と、
前記第２のＭＶを使用して、前記第２の参照ピクチャ中に第２の予測ブロックをロケートするための手段と、
前記第１の予測ブロックの第１のサブブロックについて、第１の双方向オプティカルフロー（ＢＩＯ）動き量を決定するための手段と、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定するための手段と、
前記第１の予測ブロックの第２のサブブロックについて、第２のＢＩＯ動き量を決定するための手段と、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定するための手段と、
前記第１の最終予測サブブロックおよび前記第２の最終予測サブブロックに基づいて、ビデオデータの前記ブロックについての最終予測ブロックを決定するための手段と、
ビデオデータの前記ブロックの復号されたバージョンを備えるビデオデータのピクチャを出力するための手段と、
を備える、装置。
【請求項１４】
前記装置は、ワイヤレス通信デバイスを備え、符号化されたビデオデータを受信するように構成された受信機をさらに備え、
好ましくは、
前記ワイヤレス通信デバイスは、電話ハンドセットを備え、
前記受信機は、前記符号化されたビデオデータを備える信号を、ワイヤレス通信規格にしたがって復調するように構成される、請求項１３に記載の装置。
【請求項１５】
前記装置は、ワイヤレス通信デバイスを備え、符号化されたビデオデータを送信するように構成された送信機をさらに備え、
好ましくは、
前記ワイヤレス通信デバイスは、電話ハンドセットを備え、
前記送信機は、前記符号化されたビデオデータを備える信号を、ワイヤレス通信規格にしたがって変調するように構成される、請求項１３に記載の装置。
【手続補正２】
【補正対象書類名】明細書
【補正対象項目名】０１５７
【補正方法】変更
【補正の内容】
【０１５７】
[0174]様々な例が説明されてきた。これらおよび他の例は、次の特許請求の範囲内にある。
以下に本願の出願当初の特許請求の範囲に記載された発明を付記する。
[Ｃ１]  ビデオデータを復号する方法であって、前記方法は、
ビデオデータのブロックが双方向インター予測モードを使用して符号化されていると決定することと、
前記ブロックについての第１の動きベクトル（ＭＶ）を決定することと、ここにおいて、前記第１のＭＶは、第１の参照ピクチャを指し示す、
前記ブロックについての第２のＭＶを決定することと、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中に第１の予測ブロックをロケートすることと、
前記第２のＭＶを使用して、前記第２の参照ピクチャ中に第２の予測ブロックをロケートすることと、
前記第１の予測ブロックの第１のサブブロックについて、第１の双方向オプティカルフロー（ＢＩＯ）動き量を決定することと、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定することと、
前記第１の予測ブロックの第２のサブブロックについて、第２のＢＩＯ動き量を決定することと、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定することと、
前記第１の最終予測サブブロックおよび前記第２の最終予測サブブロックに基づいて、ビデオデータの前記ブロックについての最終予測ブロックを決定することと、
ビデオデータの前記ブロックの復号されたバージョンを備えるビデオデータのピクチャを出力することと、
を備える、方法。
[Ｃ２]  前記第１のＢＩＯ動き量を決定することは、前記第１のサブブロック中のサンプルおよび前記第１のサブブロック外のサンプルに基づいて前記第１のＢＩＯ動き量を決定することを備える、Ｃ１に記載の方法。
[Ｃ３]  前記第１のＢＩＯ動き量を決定することは、前記第１のサブブロック中のサンプルのみに基づいて前記第１のＢＩＯ動き量を決定することを備える、Ｃ１に記載の方法。
[Ｃ４]  前記第２のＢＩＯ動き量を決定することは、前記第２のサブブロック中のサンプルおよび前記第２のサブブロック外のサンプルに基づいて前記第２のＢＩＯ動き量を決定することを備える、Ｃ１に記載の方法。
[Ｃ５]  前記第２のＢＩＯ動き量を決定することは、前記第２のサブブロック中のサンプルのみに基づいて前記第２のＢＩＯ動き量を決定することを備える、Ｃ１に記載の方法。
[Ｃ６]  前記第１のＢＩＯ動き量は、水平成分および垂直成分を備える動きベクトルフィールドを備える、Ｃ１に記載の方法。
[Ｃ７]  前記第１のサブブロックは、前記ブロックについてのコーディングユニット、予測ユニット、および変換ユニットとは異なる、Ｃ１に記載の方法。
[Ｃ８]  ビデオデータの前記ブロックについての再構築されたブロックを決定するために、前記最終予測ブロックに残差データを追加すること、
をさらに備える、Ｃ１に記載の方法。
[Ｃ９]  前記第１の予測ブロックの前記第１のサブブロック、前記第２の予測ブロックの前記第１のサブブロック、および前記第１のＢＩＯ動き量に基づいて、ビデオデータの前記ブロックについての前記第１の最終予測サブブロックを決定することは、以下の式にしたがって前記第１の最終予測サブブロックを決定することを備え、
ｐｒｅｄBIO＝１／２・（Ｉ(0)＋Ｉ(1)＋ｖx・（τ1∂Ｉ(1)／∂ｘ−τ0∂Ｉ(0)／∂ｘ）＋ｖy・（τ1∂Ｉ(1)／∂ｙ−τ0∂Ｉ(0)／∂ｙ））
ここにおいて、
ｐｒｅｄBIOは、前記第１の最終予測サブブロックのサンプル値を備え、
Ｉ(0)は、前記第１の予測ブロックの前記第１のサブブロックのサンプル値を備え、    Ｉ(1)は、前記第２の予測ブロックの前記第１のサブブロックのサンプル値を備え、    ｖxは、前記第１のＢＩＯ動き量の水平成分を備え、
ｖyは、前記第１のＢＩＯ動き量の垂直成分を備え、
τ0は、前記第１の参照ピクチャまでの距離を備え、
τ1は、前記第２の参照ピクチャまでの距離を備える、Ｃ１に記載の方法。
[Ｃ１０]  前記復号の方法は、ビデオ符号化プロセスの復号ループの一部として実行され、およびビデオデータの前記ブロックの前記復号されたバージョンを備えるビデオデータの前記ピクチャを出力することは、参照ピクチャメモリ中にビデオデータの前記ブロックの前記復号されたバージョンを備えるビデオデータの前記ピクチャを記憶することを備え、前記方法は、
前記ビデオデータの別のピクチャを符号化する際に参照ピクチャとしてビデオデータの前記ブロックの前記復号されたバージョンを備えるビデオデータの前記ピクチャを使用すること、
をさらに備える、Ｃ１に記載の方法。
[Ｃ１１]  ビデオデータの前記ブロックの前記復号されたバージョンを備えるビデオデータの前記ピクチャを出力することは、ディスプレイデバイスにビデオデータの前記ブロックの前記復号されたバージョンを備えるビデオデータの前記ピクチャを出力することを備える、Ｃ１に記載の方法。
[Ｃ１２]  ビデオデータを復号するためのデバイスであって、前記デバイスは、
ビデオデータを記憶するように構成されたメモリと、
１つまたは複数のプロセッサと、を備え、前記１つまたは複数のプロセッサは、
ビデオデータのブロックが双方向インター予測モードを使用して符号化されていると決定することと、
前記ブロックについての第１の動きベクトル（ＭＶ）を決定することと、ここにおいて、前記第１のＭＶは、第１の参照ピクチャを指し示す、
前記ブロックについての第２のＭＶを決定することと、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中に第１の予測ブロックをロケートすることと、
前記第２のＭＶを使用して、前記第２の参照ピクチャ中に第２の予測ブロックをロケートすることと、
前記第１の予測ブロックの第１のサブブロックについて、第１の双方向オプティカルフロー（ＢＩＯ）動き量を決定することと、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定することと、
前記第１の予測ブロックの第２のサブブロックについて、第２のＢＩＯ動き量を決定することと、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定することと、
前記第１の最終予測サブブロックおよび前記第２の最終予測サブブロックに基づいて、ビデオデータの前記ブロックについての最終予測ブロックを決定することと、
ビデオデータの前記ブロックの復号されたバージョンを備えるビデオデータのピクチャを出力することと、
を行うように構成された、デバイス。
[Ｃ１３]  前記第１のＢＩＯ動き量を決定するために、前記１つまたは複数のプロセッサは、前記第１のサブブロック中のサンプルおよび前記第１のサブブロック外のサンプルに基づいて前記第１のＢＩＯ動き量を決定するように構成される、Ｃ１２に記載のデバイス。
[Ｃ１４]  前記第１のＢＩＯ動き量を決定するために、前記１つまたは複数のプロセッサは、前記第１のサブブロック中のサンプルのみに基づいて前記第１のＢＩＯ動き量を決定するように構成される、Ｃ１２に記載のデバイス。
[Ｃ１５]  前記第２のＢＩＯ動き量を決定するために、前記１つまたは複数のプロセッサは、前記第２のサブブロック中のサンプルおよび前記第２のサブブロック外のサンプルに基づいて前記第２のＢＩＯ動き量を決定するように構成される、Ｃ１２に記載のデバイス。
[Ｃ１６]  前記第２のＢＩＯ動き量を決定するために、前記１つまたは複数のプロセッサは、前記第２のサブブロック中のサンプルのみに基づいて前記第２のＢＩＯ動き量を決定するように構成される、Ｃ１２に記載のデバイス。
[Ｃ１７]  前記第１のＢＩＯ動き量は、水平成分および垂直成分を備える動きベクトルフィールドを備える、Ｃ１２に記載のデバイス。
[Ｃ１８]  前記第１のサブブロックは、前記ブロックについてのコーディングユニット、予測ユニット、および変換ユニットとは異なる、Ｃ１２に記載のデバイス。
[Ｃ１９]  前記１つまたは複数のプロセッサは、
ビデオデータの前記ブロックについての再構築されたブロックを決定するために、前記最終予測ブロックに残差データを追加すること、
を行うように構成される、Ｃ１２に記載のデバイス。
[Ｃ２０]  前記第１の予測ブロックの前記第１のサブブロック、前記第２の予測ブロックの前記第１のサブブロック、および前記第１のＢＩＯ動き量に基づいて、ビデオデータの前記ブロックについての前記第１の最終予測サブブロックを決定するために、前記１つまたは複数のプロセッサは、以下の式にしたがって前記第１の最終予測サブブロックを決定するように構成され、
ｐｒｅｄBIO＝１／２・（Ｉ(0)＋Ｉ(1)＋ｖx・（τ1∂Ｉ(1)／∂ｘ−τ0∂Ｉ(0)／∂ｘ）＋ｖy・（τ1∂Ｉ(1)／∂ｙ−τ0∂Ｉ(0)／∂ｙ））
ここにおいて、
ｐｒｅｄBIOは、前記第１の最終予測サブブロックのサンプル値を備え、
Ｉ(0)は、前記第１の予測ブロックの前記第１のサブブロックのサンプル値を備え、    Ｉ(1)は、前記第２の予測ブロックの前記第１のサブブロックのサンプル値を備え、    ｖxは、前記第１のＢＩＯ動き量の水平成分を備え、
ｖyは、前記第１のＢＩＯ動き量の垂直成分を備え、
τ0は、前記第１の参照ピクチャまでの距離を備え、
τ1は、前記第２の参照ピクチャまでの距離を備える、Ｃ１２に記載のデバイス。
[Ｃ２１]  前記１つまたは複数のプロセッサは、ビデオ符号化プロセスの復号ループの一部として前記ビデオデータを復号し、およびビデオデータの前記ブロックの前記復号されたバージョンを備えるビデオデータの前記ピクチャを出力するために、前記１つまたは複数のプロセッサは、参照ピクチャメモリ中にビデオデータの前記ブロックの前記復号されたバージョンを備えるビデオデータの前記ピクチャを記憶するように構成され、前記１つまたは複数のプロセッサは、
前記ビデオデータの別のピクチャを符号化する際に参照ピクチャとしてビデオデータの前記ブロックの前記復号されたバージョンを備えるビデオデータの前記ピクチャを使用すること、
を行うようにさらに構成される、Ｃ１２に記載のデバイス。
[Ｃ２２]  ビデオデータの前記ブロックの前記復号されたバージョンを備えるビデオデータの前記ピクチャを出力するために、前記１つまたは複数のプロセッサは、ディスプレイデバイスにビデオデータの前記ブロックの前記復号されたバージョンを備えるビデオデータの前記ピクチャを出力するように構成される、Ｃ１２に記載のデバイス。
[Ｃ２３]  前記デバイスは、ワイヤレス通信デバイスを備え、符号化されたビデオデータを受信するように構成された受信機をさらに備える、Ｃ１２に記載のデバイス。
[Ｃ２４]  前記ワイヤレス通信デバイスは、電話ハンドセットを備え、
前記受信機は、前記符号化されたビデオデータを備える信号を、ワイヤレス通信規格にしたがって復調するように構成される、Ｃ２３に記載のデバイス。
[Ｃ２５]  前記デバイスは、ワイヤレス通信デバイスを備え、符号化されたビデオデータを送信するように構成された送信機をさらに備える、Ｃ１２に記載のデバイス。
[Ｃ２６]  前記ワイヤレス通信デバイスは、電話ハンドセットを備え、
前記送信機は、前記符号化されたビデオデータを備える信号を、ワイヤレス通信規格にしたがって変調するように構成される、Ｃ２５に記載のデバイス。
[Ｃ２７]  １つまたは複数のプロセッサによって実行されると、前記１つまたは複数のプロセッサに、
ビデオデータのブロックが双方向インター予測モードを使用して符号化されていると決定することと、
前記ブロックについての第１の動きベクトル（ＭＶ）を決定することと、ここにおいて、前記第１のＭＶは、第１の参照ピクチャを指し示す、
前記ブロックについての第２のＭＶを決定することと、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中に第１の予測ブロックをロケートすることと、
前記第２のＭＶを使用して、前記第２の参照ピクチャ中に第２の予測ブロックをロケートすることと、
前記第１の予測ブロックの第１のサブブロックについて、第１の双方向オプティカルフロー（ＢＩＯ）動き量を決定することと、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定することと、
前記第１の予測ブロックの第２のサブブロックについて、第２のＢＩＯ動き量を決定することと、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定することと、
前記第１の最終予測サブブロックおよび前記第２の最終予測サブブロックに基づいて、ビデオデータの前記ブロックについての最終予測ブロックを決定することと、
ビデオデータの前記ブロックの復号されたバージョンを備えるビデオデータのピクチャを出力することと、
を行わせる命令を記憶する、コンピュータ可読記憶媒体。
[Ｃ２８]  前記第１のＢＩＯ動き量は、水平成分および垂直成分を備える動きベクトルフィールドを備える、Ｃ２７に記載のコンピュータ可読記憶媒体。
[Ｃ２９]  前記第１のサブブロックは、前記ブロックについてのコーディングユニット、予測ユニット、および変換ユニットとは異なる、Ｃ２７に記載のコンピュータ可読記憶媒体。
[Ｃ３０]  ビデオデータを復号するための装置であって、前記装置は、
ビデオデータのブロックが双方向インター予測モードを使用して符号化されていると決定するための手段と、
前記ブロックについての第１の動きベクトル（ＭＶ）を決定するための手段と、ここにおいて、前記第１のＭＶは、第１の参照ピクチャを指し示す、
前記ブロックについての第２のＭＶを決定するための手段と、ここにおいて、前記第２のＭＶは、第２の参照ピクチャを指し示し、前記第１の参照ピクチャは、前記第２の参照ピクチャとは異なる、
前記第１のＭＶを使用して、前記第１の参照ピクチャ中の第１の予測ブロックをロケートするための手段と、
前記第２のＭＶを使用して、前記第２の参照ピクチャ中の第２の予測ブロックをロケートするための手段と、
前記第１の予測ブロックの第１のサブブロックについて、第１の双方向オプティカルフロー（ＢＩＯ）動き量を決定するための手段と、
前記第１の予測ブロックの前記第１のサブブロック、前記第２の予測ブロックの第１のサブブロック、および前記第１のＢＩＯ動き量に基づいて、ビデオデータの前記ブロックについての第１の最終予測サブブロックを決定するための手段と、
前記第１の予測ブロックの第２のサブブロックについて、第２のＢＩＯ動き量を決定するための手段と、
前記第１の予測ブロックの前記第２のサブブロック、前記第２の予測ブロックの第２のサブブロック、および前記第２のＢＩＯ動き量に基づいて、ビデオデータの前記ブロックについての第２の最終予測サブブロックを決定するための手段と、
前記第１の最終予測サブブロックおよび前記第２の最終予測サブブロックに基づいて、ビデオデータの前記ブロックについての最終予測ブロックを決定するための手段と、
ビデオデータの前記ブロックの復号されたバージョンを備えるビデオデータのピクチャを出力するための手段と、
を備える、装置。